(57)【要約】【課題】起立する支柱に様々な態様のパネルを取り付けるのに適したパネル取付具を提供すること。【解決手段】本発明のパネル取付具Ａ１は、パネル２０を起立する支柱１２に取り付けるためのパネル取付具Ａ１であって、パネル２０が取り付けられるパネル支持体３０と、支柱１２にパネル支持体３０を固定するための固定手段４０と、を備え、パネル支持体３０は、互いに向きの異なる複数の外側面３１２ａ〜３１２ｄを有し、かつ支柱１２の周りを囲む環状または略環状とされた本体部３１と、外側面３１２ａ〜３１２ｄに各々が設けられ、磁石からなる複数のパネル保持部３２と、を有する。【選択図】図５
2015206182.tif 000002
【特許請求の範囲】
【請求項１】
パネルを起立する支柱に取り付けるためのパネル取付具であって、
上記パネルが取り付けられるパネル支持体と、上記支柱にパネル支持体を固定するための固定手段と、を備え、
上記パネル支持体は、互いに向きの異なる複数の外側面を有し、かつ上記支柱の周りを囲む環状または略環状とされた本体部と、上記複数の外側面のうち２以上の上記外側面に各々が設けられ、磁石からなる複数のパネル保持部と、を有することを特徴とする、パネル取付具。
【請求項２】
上記本体部は、磁性材料からなる、請求項１に記載のパネル取付具。
【請求項３】
上記パネル保持部は、上記外側面に当接する底面と、上記底面の反対を向く主面とを有しており、上記主面の少なくとも一部を覆うとともに当該主面および上記本体部に跨るように貼付された粘着シート材によって上記本体部に固定されている、請求項１または２に記載のパネル取付具。
【請求項４】
上記複数の外側面は、それぞれ反対を向き、かつ略平行な一対の上記外側面による外側面対を複数含み、
上記外側面対を構成する少なくとも一方の上記外側面に上記パネル保持部が設けられている、請求項１ないし３のいずれかに記載のパネル取付具。
【請求項５】
複数の上記外側面対は、各外側面対を構成する上記外側面どうしが略直角をなす２つの外側面対からなり、これら２つの外側面対を構成する４つの上記外側面それぞれに上記パネル保持部が設けられている、請求項４に記載のパネル取付具。
【請求項６】
上記固定手段は、上記本体部に設けられ、上記支柱の中心軸と略直角であって互いに異なる方向から上記支柱を押圧する、３つ以上のねじ部材を含んで構成される、請求項１ないし５のいずれかに記載のパネル取付具。
【請求項７】
上記支柱は、床面に載置されるベースから起立しており、当該ベースとともにベルトパーティションスタンドを構成する、請求項１ないし６のいずれかに記載のパネル取付具。
【請求項８】
パネルと、
起立する支柱と、
請求項１ないし７のいずれかに記載のパネル取付具と、を備えており、
上記パネルが上記パネル取付具を介して上記支柱に取り付けられているパネル付スタンドであって、
上記パネルは、磁性材料からなり、上記パネル保持部の磁力によって当該パネル保持部に吸着保持されることを特徴とする、パネル付きスタンド。
【請求項９】
上記パネルは、各々が複数の上記外側面のいずれかに対向し、かつ上記パネル支持体の周方向において連続する複数の平板部を有する、請求項８に記載のパネル付きスタンド。
【請求項１０】
上記支柱は、床面に載置されるベースから起立しており、当該ベースとともにベルトパーティションスタンドを構成する、請求項９に記載のパネル付きスタンド。
【請求項１１】
上記パネルは、隣接するものどうしの間に所定の隙間をもたせつつ上記パネル支持体の周りを囲むように複数設けられており、
これら複数の上記パネルによって形成された上端開口を塞ぐとともに複数の上記パネルの上記各平板部の上端に係合する、蓋部材をさらに備える、請求項９または１０に記載のパネル付きスタンド。
【発明の詳細な説明】
【技術分野】
【０００１】
本発明は、たとえば床面上などにおいて起立する支柱にパネルを取り付けるためのパネル取付具に関する。
【背景技術】
【０００２】
従来、金融機関やイベント会場などの様々な施設において、歩行者の通路規制などを行うために、ベルトパーティションスタンドが使用されている。ベルトパーティションスタンドは、たとえば、床面に載置されるベースと、このベースから起立する支柱と、支柱の上端に設けられたベルト収納ヘッドとを備えている（たとえば、特許文献１を参照）。ベルトパーティションスタンドの使用時には複数設置し、ベルト収納ヘッドから繰り出したベルトの先端を他のベルトパーティションスタンドに係止する。このようにすることで、隣接するベルトパーティションスタンドの相互間にベルトが張設され、歩行者の通路規制などを行うことができる。
【０００３】
上述のようなベルトパーティションスタンドに対し、案内表示などを目的とするパネルを取り付けて使用する場合がある。たとえば、特許文献２には、ベルトパーティションスタンドの支柱にパネル取付具を装着し、当該パネル取付具を介してパネルを支柱に取り付ける例が記載されている。特許文献２に開示されたパネル取付具は、支柱に当接させられる緩衝部材と、パネルが取り付けられるパネル取付部材とを備えている。パネル取付具の使用時には、緩衝部材が自然状態から変形しつつ支柱に押圧されており、支柱の形状が異なる場合でも取付けが可能である。また、パネル支持部材は、磁石からなるパネル固定部を有し、支柱を挟んでパネル固定部と反対側に巻かれた面ファスナ等によって支柱に固定されている。そして、上記パネル固定部にパネルを吸着保持させことにより、パネル固定部の主面と同じ方向に向けてパネルを取り付けることができる。
【０００４】
上記従来のパネル取付具において、パネル固定部は一方向を向く主面を有し、この主面が向いた一方向へのパネルの取り付けは適切に行うことができる。しかしながら、たとえば、Ｌ字状の二方向、コの字状の三方向、あるいは支柱の全周を囲むような四方向以上に向けてパネルを取り付けて使用する場合、１つのパネル取付具では適切にパネルを取り付けるのが困難な場合があり、使い勝手の面で改善の余地があった。
【先行技術文献】
【特許文献】
【０００５】
【特許文献１】特許第３６９４７２３号公報
【特許文献２】特開２０１３−２３４４５６号公報
【発明の概要】
【発明が解決しようとする課題】
【０００６】
本発明は、このような事情のもとで考え出されたものであって、起立する支柱に様々な態様のパネルを取り付けるのに適したパネル取付具、およびそのようなパネル取付具を備えたパネル付きスタンドを提供することをその課題とする。
【課題を解決するための手段】
【０００７】
上記の課題を解決するため、本発明では、次の技術的手段を講じている。
【０００８】
本発明の第１の側面によって提供されるパネル取付具は、パネルを起立する支柱に取り付けるためのパネル取付具であって、上記パネルが取り付けられるパネル支持体と、上記支柱にパネル支持体を固定するための固定手段と、を備え、上記パネル支持体は、互いに向きの異なる複数の外側面を有し、かつ上記支柱の周りを囲む環状または略環状とされた本体部と、上記複数の外側面のうち２以上の上記外側面に各々が設けられ、磁石からなる複数のパネル保持部と、を有することを特徴としている。
【０００９】
好ましい実施の形態においては、上記本体部は、磁性材料からなる。
【００１０】
好ましい実施の形態においては、上記パネル保持部は、上記外側面に当接する底面と、上記底面の反対を向く主面とを有しており、上記主面の少なくとも一部を覆うとともに当該主面および上記本体部に跨るように貼付された粘着シート材によって上記本体部に固定されている。
【００１１】
好ましい実施の形態においては、上記複数の外側面は、それぞれ反対を向き、かつ略平行な一対の上記外側面による外側面対を複数含み、上記外側面対を構成する少なくとも一方の上記外側面に上記パネル保持部が設けられている。
【００１２】
好ましい実施の形態においては、複数の上記外側面対は、各外側面対を構成する上記外側面どうしが略直角をなす２つの外側面対からなり、これら２つの外側面対を構成する４つの上記外側面それぞれに上記パネル保持部が設けられている。
【００１３】
好ましい実施の形態においては、上記固定手段は、上記本体部に設けられ、上記支柱の中心軸と略直角であって互いに異なる方向から上記支柱を押圧する、３つ以上のねじ部材を含んで構成される。
【００１４】
好ましい実施の形態においては、上記支柱は、床面に載置されるベースから起立しており、当該ベースとともにベルトパーティションスタンドを構成する。
【００１５】
本発明の第２の側面によって提供されるパネル付きスタンドは、パネルと、起立する支柱と、本発明の第１の側面に係るパネル取付具と、を備えており、上記パネルが上記パネル取付具を介して上記支柱に取り付けられているパネル付スタンドであって、上記パネルは、磁性材料からなり、上記パネル保持部の磁力によって当該パネル保持部に吸着保持されることを特徴としている。
【００１６】
好ましい実施の形態においては、上記パネルは、各々が複数の上記外側面のいずれかに対向し、かつ上記パネル支持体の周方向において連続する複数の平板部を有する。
【００１７】
好ましい実施の形態においては、上記支柱は、床面に載置されるベースから起立しており、当該ベースとともにベルトパーティションスタンドを構成する。
【００１８】
好ましい実施の形態においては、上記パネルは、隣接するものどうしの間に所定の隙間をもたせつつ上記パネル支持体の周りを囲むように複数設けられており、これら複数の上記パネルによって形成された上端開口を塞ぐとともに複数の上記パネルの上記各平板部の上端に係合する。
【００１９】
本発明のその他の特徴および利点は、添付図面を参照して以下に行う詳細な説明によって、より明らかとなろう。
【図面の簡単な説明】
【００２０】
【図１】本発明に係るパネル取付具の一例を示す斜視図である。
【図２】本発明に係るパネル取付具が用いられるベルトパーティションスタンドの一例を示す斜視図である。
【図３】本発明に係るパネル付きスタンドの一例を示す斜視図である。
【図４】図３に示すパネル付きスタンドの正面図である。
【図５】図４のＶ−Ｖ線に沿う断面図である。
【図６】図３に示すパネル付きスタンドの上端付近の拡大縦断面図である。
【発明を実施するための形態】
【００２１】
以下、本発明の好ましい実施の形態について、図面を参照して具体的に説明する。
【００２２】
図１は、本発明に係るパネル取付具の一例を示す。図１に示すパネル取付具Ａ１は、ベルトパーティションスタンドにパネルを取り付ける際に用いられるものである。図２は、ベルトパーティションスタンドの一例を示す。図３〜図５は、本発明に係るパネル付きスタンドの一例を示す。
【００２３】
図２に示すように、ベルトパーティションスタンド１０は、ベース１１と、このベース１１から起立する支柱１２と、支柱１２に連結されるベルト収納ヘッド１３と、パーティションベルト１４と、を備えている。
【００２４】
ベース１１は、床面に載置される部材であり、平面視略円形の板状とされている（図５参照）。支柱１２は、円柱状に形成されている。図示説明は省略するが、支柱１２は、ベース１１に対して、たとえばねじを用いた締結によって着脱可能に連結されている。なお、図５では、支柱１２の内部構造を省略している。ベース１１には、一定幅の切欠き１１１が形成されている。この切欠き１１１の幅寸法は、支柱１２の外径よりも少し大とされている。複数のベルトパーティションスタンド１０を収納する際には、支柱１２が別のベルトパーティションスタンド１０の切り欠き１１に嵌り込むようにすると、収納スペースを縮小することができる。
【００２５】
ベルト収納ヘッド１３は、支柱１２の上端に連結されており、円筒状の外形を有している。ベルト収納ヘッド１３の外周直径は支柱１２の外周直径よりも大きくなっている。ベルト収納ヘッド１３の軸方向における長さは、たとえば１５ｃｍ程度とされる。ベルト収納ヘッド１３は、パーティションベルト１４を収容する。なお、図示説明は省略するが、ベルト収納ヘッド１３は、支柱１２に対して、たとえばねじを用いた締結によって着脱可能に連結されている。
【００２６】
パーティションベルト１４は、ベルト収納ヘッド１３に設けられたスリット状のベルト導出部１３１を通じてベルト収納ヘッド１３の外部に繰り出し可能とされている。ベルト収納ヘッド１３内部の詳細な図示は省略するが、パーティションベルト１４は、たとえば、その基端部がベルト収納ヘッド１３内に設けられたリールの巻軸に固定され、かつベルト全体がこの巻軸に巻回されており、付勢手段によって巻き取り方向に付勢されている。パーティションベルト１４の先端部には、ベルトエンド１４１が設けられている。ベルトエンド１４１は、概略円柱状とされており、このベルトエンド１４１の下端から上端近傍にかけて横断面Ｔ字状の溝が形成されている。なお、上記のようなパーティションベルト１４が繰り出し可能に収納される構造自体は、周知の技術（たとえば実用新案登録第３００８７６２号公報に記載の技術）によって実現される。
【００２７】
ベルト収納ヘッド１３の外面には、複数のベルトエンド受け部１３２が設けられている。これらベルトエンド受け部１３２は、ベルト導出部１３１に対して周方向に９０°ずつずれた３箇所に位置している。各ベルトエンド受け部１３２は、軸方向に沿って一定長さ延びるようにして横断面Ｔ字状に形成されており、ベルトエンド１４１に設けられた溝に嵌合可能となっている。ベルトパーティションスタンド１０の使用時には、パーティションベルト１４を繰り出すとともに、当該ベルト１４のベルトエンド１４１の溝に他のベルトパーティションスタンド１０のベルトエンド受け部１３２を嵌合させる。これにより、隣接するベルトパーティションスタンド１０の相互間にパーティションベルト１４を張設することができる。
【００２８】
図３〜図５に示すパネル付きスタンドＢ１は、図２に示したベルトパーティションスタンド１０と、パネル２０と、パネル取付具Ａ１とを備えている。
【００２９】
パネル２０は、屈曲状につながる２つの平板部２１，２１を備え、これら平板部２１，２１は、平面視において略直角をなしたＬ字状とさされている。各平板部２１は、高さ方向を長手方向とする略長矩形状とされており、案内表示等が描画される表示面２１ａと、表示面２１ａの反対を向く背面２１ｂとを有している。本実施形態のパネル２０は金属板からなる。具体的には、パネル２０は磁性材料からなり、たとえば鉄製である。なお、表示面２１ａに直接案内表示等を描画せずに、案内表示等が描画されたシール等を表示面２１ａに貼ってもよい。
【００３０】
図１に示すように、パネル取付具Ａ１は、パネル支持体３０と、固定手段４０とを備えている。
【００３１】
パネル支持体３０は、本体部３１と、パネル保持部３２とを備えている。本体部３１は、支柱１２の周りを囲む環状とされており（図５参照）、たとえば鉄などの磁性材料からなる金属製である。本体部３１は、平面視矩形状の矩形枠部３１１と、矩形枠部３１１の外周縁につながる外周壁３１２と、外周壁３１２の下端から外側に延びる延出片３１３と、矩形枠部３１１の内周縁につながる起立片３１４とを有し、たとえば金属板を折り曲げて形成されたものである。矩形枠部３１１の内側には、支柱１２を通すための開口３１ａが形成されている。
【００３２】
外周壁３１２は、矩形枠部３１１の外周縁の各辺から垂れ下がっている。本実施形態では、矩形枠部３１１の外周縁の４辺それぞれに対応する４つの外周壁３１２が設けられている（図５参照）。図５に表れているように、各外周壁３１２は、開口３１ａがある側とは反対を向く外側面３１２ａ（３１２ｂ，３１２ｃ，３１２ｄ）を有する。４つの外周壁３１２におけるそれぞれの外側面３１２ａ〜３１２ｄは、互いに向きが異なっている。本実施形態では、図５において図中下側に位置する外周壁３１２の外側面３１２ａは図中下方を向き、図中上側に位置する外周壁３１２の外側面３１２ｂは図中上方を向く。これら外側面３１２ａ，３１２ｂは、それぞれ反対を向き、かつ略平行であり、本発明でいう外側面対に相当する。また、図中右側に位置する外周壁３１２の外側面３１２ｃは図中右方を向き、図中左側に位置する外周壁３１２の外側面３１２ｄは図中左方を向く。これら外側面３１２ｃ，３１２ｄは、それぞれ反対を向き、かつ略平行であり、本発明でいう外側面対に相当する。そして、図中上方および下方を向く外側面対（外側面３１２ａ，３１２ｂ）と、図中右方および左方を向く外側面対（外側面３１２ｃ，３１２ｄ）とは略直角をなしている。
【００３３】
図１、図５に示すように、パネル保持部３２は、磁石（永久磁石）からなり、直方体状である。本実施形態では、４つの外周壁３１２それぞれの外側面３１２ａ〜３１２ｄに対応する４箇所にパネル保持部３２が設けられている。パネル保持部３２は、外側面３１２ａ（３１２ｂ〜３１２ｄ）に当接する底面３２ａと、底面３２ａの反対を向く主面３２ｂとを有している。また、パネル保持部３２は、延出片３１３上に載っている。パネル保持部３２は、それ自体の吸着力（磁力）によって外側面３１２ａ（３１２ｂ〜３１２ｄ）に対して安定的に取り付けられている。なお、本実施形態では、各外側面３１２ａ（３１２ｂ〜３１２ｄ）にパネル保持部３２を設けているが、上記外側面対を構成する外側面３１２ａ，３１２ｂ（３１２ｃ，３１２ｄ）のうち一方のみにパネル保持部３２を設ける構成としてもよい。
【００３４】
また、本実施形態では、パネル保持部３２は、粘着シート材３３によって本体部３１に固定されている。図１、図５において、粘着シート材３３を仮想線で表す。粘着シート材３３は、主面３２ｂの少なくとも一部を覆うとともに、主面３２ｂおよび本体部３１に跨るように貼付されている。本実施形態では、粘着シート材３３は、パネル保持部３２の主面３２ｂおよび上面３２ｃの略全体を覆いつつ、矩形枠部３１１の上面および延出片３１３の下面に跨って貼付されている。
【００３５】
固定手段４０は、支柱１２にパネル支持体３０を固定するためのものである。本実施形態では、固定手段４０は、起立片３１４に設けられた押しねじ４１を含んで構成される。起立片３１４は、矩形枠部３１１の内周縁の各辺に対応した４箇所に設けられている。起立片３１４には、ねじ孔（図示略）が形成されており、当該ねじ孔に押しねじ４１のねじ部が螺合している。図４、図５から理解できるように、４つの押しねじ４１は、支柱１２の中心軸Ｏｘと略直角であって、互いに異なる方向から支柱１２を押圧する。
【００３６】
本実施形態では、上記構成のパネル取付具Ａ１を介して、２つのパネル２０が支柱１２に取り付けられている。これらパネル２０は、パネル取付具Ａ１（パネル支持体３０）を囲んでおり、平面視において略矩形状である。２つのパネル２０の隣接相互間には、所定の隙間２０ａが形成されている。図５において仮想線で示すように、パーティションベルト１４は、上記隙間２０ａを通じて、２つのパネル２０で囲まれた領域の外側に繰り出すことが可能となっている。なお、図４においては、１つのパネル２０のみを表し、他のパネル２０は省略している。
【００３７】
図３において仮想線で示すように、パネル２０の上端には、必要に応じて蓋部材５０が装着される。蓋部材５０は、２つのパネル２０によって形成された上端開口２０ｂを塞いでいる。蓋部材５０は、上端開口に対応するサイズの矩形状の天井板５１と、天井板の４辺それぞれから下方に延びる延出片５２とを有し、たとえば金属板を折り曲げて形成されたものである。図６から理解できるように、延出片５２は、２つのパネル２０における各平板部２１の上端２１１に係合している。具体的には、たとえば、自然状態において対向する一対の平板部２１の外面どうしの間の寸法が、対向する一対の延出片５２の内面どうしの間の寸法より僅かに大とされている。そして、延出片５２を平板部２１の外側に嵌めることにより、延出片５２が平板部２１の上端に係合する。
【００３８】
次に、本実施形態の作用について説明する。
【００３９】
図１、図５等に示したパネル取付具Ａ１は、使用時において、固定手段４０によってベルトパーティションスタンド１０の支柱１２に固定される。パネル取付具Ａ１の本体部３１は、互いに向きの異なる複数の外側面３１２ａ〜３１２ｄを有し、これら外側面３１２ａ〜３１２ｄに対応して複数（本実施形態では４個）のパネル保持部３２が設けられている。これらパネル保持部３２は磁石（永久磁石）からなり、当該パネル保持部３２の磁力によってパネル２０を吸着保持することができる。したがって、パネル取付具Ａ１を用いれば、当該パネル取付具Ａ１を介して、磁性部材からなるパネル２０をベルトパーティションスタンド１０の支柱１２に取り付けることができる。
【００４０】
また、複数のパネル保持部３２は、環状の本体部３１において、互いに向きの異なる外側面３１２ａ〜３１２ｄに設けられている。このため、取付け対象となるパネル２０について、表示面２１ａが二方向以上に向いた態様で使用する場合においても、パネル保持部３２を表示面２１ａ（平板部２１）の向きに合うように設けることにより、パネル２０を適切に支持することが可能である。
【００４１】
本実施形態では、本体部３１の４つの外側面３１２ａ〜３１２ｄについて、それぞれ反対を向き、かつ略平行である外側面対が２つ（外側面３１２ａ，３１２ｂと外側面３１２ｃ，３１２ｄ）あり、これら外側面対どうしが略直角である。そして、上記関係にある外側面３１２ａ〜３１２ｄのそれぞれにパネル保持部３２が設けられている。このような構成によれば、パネル２０について、平面視矩形状としてパネル取付具Ａ１を囲むように設ける場合であっても、４つのパネル保持部３２によってパネル２０の各平板部２１を適切に吸着保持することができる。また、このようにパネル取付具Ａ１がパネル２０によって囲まれた状態で使用されるパネル付きスタンドＢ１については、パネル２０の内側にあるパネル取付具Ａ１が当該パネル２０に遮られて外側から見えないので、外観上の見栄えがよい。
【００４２】
蓋部材５０を具備する構成においては、この蓋部材５０（延出片５２）がパネル２０の各平板部２１の上端２１１と係合している。このような構成によれば、たとえば支柱１２に固定したパネル取付具Ａ１と、蓋部材５０との協働により、パネル取付具Ａ１を囲うように取り付けられるパネル２０の全体形状を適切に維持することができる。たとえばパネル２０の高さ方向の寸法が大きい場合、支柱１２に対して上下方向に離間する位置に２つのパネル取付具Ａ１を取り付けることによって、パネル２０の取付け状態の安定化を図ることも考えられる。本実施形態によれば、簡易な構造の蓋部材５０を追加することにより、パネル２０の取付け状態の安定化を図ることができ、コスト面で有利である。また、蓋部材５０（天井板５１）は、パネル２０によって形成された上端開口２０ｂを塞いでいるため、外観上の見栄えをよくする効果も期待できる。
【００４３】
ベルトパーティションスタンド１０の支柱１２に対するパネル支持体３０の固定は、支柱１２の中心軸Ｏｘと略直角であって、互いに異なる方向から支柱１２を押圧する４つの押しねじ４１を用いて行う。このような異なる方向からの押しねじ４１による押圧によれば、形状やサイズが異なる支柱１２に対してもパネル取付具Ａ１を取り付けることが可能となる。なお、支柱１２が円柱状であることを前提とすれば、押しねじ４１は３つ以上設けられていればよい。
【００４４】
パネル保持部３２は、外側を向く主面３２ｂを覆うとともに粘着シート材３３によって本体部３１に固定されている。粘着シート材３３は、パネル保持部３２のうち外側を向く主面３２ｂを覆いつつ、当該主面３２ｂおよび本体部３１に跨るように貼付されている。このような構成によれば、簡易な手段によって本体部３１にパネル保持部３２を確実に固定することができ、パネル取付具Ａ１から取り外す際、パネル２０側にパネル保持部３２が付着してしまうといった不都合を回避することができる。また、パネル保持部３２によってパネル２０が吸着保持された状態において、パネル保持部３２とパネル２０との間に粘着シート材３３が介在することになるので、パネル保持部３２にパネル２０（背面２１ｂ）が直接触れて傷付くといった事態を回避することができる。
【００４５】
以上、本発明の具体的な実施形態を説明したが、本発明はこれに限定されるものではなく、発明の思想から逸脱しない範囲内で種々な変更が可能である。本発明に係るパネル取付具およびパネル付きスタンドの各部の具体的な構成は、種々に設計変更自在である。
【００４６】
上記実施形態では、パネル取付具の本体部が環状である場合を例に挙げて説明したが、これに限定されない。本体部は、支柱の周りを囲むように略環状とされていればよく、周方向において無端状（エンドレス）につながっていなくてもよい。また、本体部については、必ずしも単一の部材によって構成される必要はなく、たとえば２つ割れの部材をねじ締結などの適宜手段によって一体に連結して環状の形態とするように構成してもよい。
【００４７】
上記実施形態においては、パネル取付具Ａ１がベルトパーティションスタンド１０の支柱１２に装着される場合を例示したが、本発明に係るパネル取付具は、ベルトパーティションスタンド１０の支柱１２以外の様々な支柱に装着することができる。パネル取付具が装着される支柱としては、たとえばチェーンが掛け止められた支柱であってもよいし、また、床面上や地面上に起立する支柱であれば可搬式のものに限定されず、たとえば地中に埋設固定される支柱など如何なる構成でもよい。
【符号の説明】
【００４８】
Ａ１        パネル取付具
Ｂ１        パネル付きスタンド
Ｏｘ        （支柱の）中心軸
１０        ベルトパーティションスタンド
１１        ベース
１２        支柱
１３        ベルト収納ヘッド
１４        パーティションベルト
２０        パネル
２０ａ      隙間
２０ｂ      上端開口
２１        平板部
２１１      上端
３０        パネル支持体
３１        本体部
３１１      矩形枠部
３１２      外周壁
３１２ａ，３１２ｂ，３１２ｃ，３１２ｄ    外側面
３１３      延出片
３１４      起立片
３２        パネル保持部
３２ａ      底面
３２ｂ      主面
３２ｃ      上面
３３        粘着シート材
４０        固定手段
４１        押しねじ（ねじ部材）
５０        蓋部材
５１        天井板
５２        延出片
【図１】
2015206182.tif 000003
【図２】
2015206182.tif 000004
【図３】
2015206182.tif 000005
【図４】
2015206182.tif 000006
【図５】
2015206182.tif 000007
【図６】
2015206182.tif 000008